(57)【要約】【課題】周囲に迷惑をかけずに読取り用の照明を行うバーコード読取装置を提供すること。【解決手段】バーコード読取装置２は、バーコードを検出するバーコード検出部１４と、バーコード検出時にバーコードを照明する紫外光ＬＥＤ２２ｂ及び可視光ＬＥＤ２２ａと、前記紫外光ＬＥＤと可視光ＬＥＤのいずれで照明するかを制御する制御部１０とを備える。【選択図】図２
2015138474.tif 000002
【特許請求の範囲】
【請求項１】
バーコードを検出するバーコード検出部と、
バーコード検出時にバーコードを照明する紫外光ＬＥＤ及び可視光ＬＥＤと、
前記紫外光ＬＥＤと可視光ＬＥＤのいずれで照明するかを制御する制御部とを備える
ことを特徴とするバーコード読取装置。
【請求項２】
前記制御部は、前記紫外光ＬＥＤと可視光ＬＥＤのいずれで照明するかを、前記バーコード読取装置が使用される状態に応じて制御する
ことを特徴とする請求項１に記載のバーコード読取装置。
【請求項３】
前記制御部は、使用される時間が夜間で、かつ周囲の明るさが前記所定の閾値以下の場合には、前記紫外光ＬＥＤで照明するよう制御する
ことを特徴とする請求項２に記載のバーコード読取装置。
【請求項４】
前記制御部は、使用される時間が夜間ではなく、かつ周囲の明るさが所定の閾値以下の場合には、前記可視光ＬＥＤで照明するよう制御する
ことを特徴とする請求項３に記載のバーコード読取装置。
【請求項５】
前記制御部は、前記バーコード読取装置が所定の姿勢にされ、かつ周囲の明るさが所定の閾値以下の場合には、前記紫外光ＬＥＤで照明するよう制御する
ことを特徴とする請求項２に記載のバーコード読取装置。
【請求項６】
前記制御部は、前記バーコード読取装置の傾き角度が所定以上の場合に、前記バーコード読取装置が前記所定の姿勢であると判断する
ことを特徴とする請求項５に記載のバーコード読取装置。
【請求項７】
前記可視光ＬＥＤと紫外光ＬＥＤが配置される面に前記周囲の明るさを測定する照度センサを設ける
ことを特徴とする請求項１に記載のバーコード読取装置。
【請求項８】
前記バーコード検出部の入射部の周囲に前記可視光ＬＥＤと紫外光ＬＥＤを配置する
ことを特徴とする請求項１に記載のバーコード読取装置。
【請求項９】
バーコードを照明する紫外光ＬＥＤ及び可視光ＬＥＤを有するバーコード読取装置におけるバーコード読取方法において、
使用状態に応じて、前記紫外光ＬＥＤと可視光ＬＥＤのいずれで照明するかを選択するステップと、
前記選択された前記紫外光ＬＥＤと可視光ＬＥＤのいずれかで、バーコードを照明するステップと、
前記照明されたバーコードを検出するステップを含む
ことを特徴とするバーコード読取方法。
【発明の詳細な説明】
【技術分野】
【０００１】
本発明は、携帯可能なバーコード読取装置に関する。
【背景技術】
【０００２】
現在、バーコードは、量販店での発注業務や、倉庫・運輸の入出荷、医療現場での投薬管理の患者認証など、多彩な業務に利用されている。
【０００３】
そして、バーコードを読取る環境は明るい場所とは限らず、夜間あるいは倉庫等の暗い場所での読取りの要請もあるため、照明用の発光ダイオードが内蔵されたバーコード読取装置を備える携帯端末装置も提案されている（例えば、特許文献１）。
【先行技術文献】
【特許文献】
【０００４】
【特許文献１】特開２００４−３２６５４５号
【発明の概要】
【発明が解決しようとする課題】
【０００５】
バーコード読取装置が搭載された携帯情報端末は、病院でも使用される。病院において、バーコードは、例えば、投薬の識別や使用履歴登録に利用されたり、あるいは病室での患者の認証等に利用される。病室内での読取りでは、深夜の時間帯に行うこともあり、暗い中なので、端末の照明をつけて読取りを行うことになるが、この時に照明が患者の迷惑になってしまう。そのため、周りにいる患者の迷惑にならないように注意しながら、バーコードの読取り操作をしなければならず、余計な負担になっている。病院内に限らず、照明を行うと周囲に迷惑をかける暗い場所（例えば、映画館内）で使用できるバーコード読取装置が求められる。
【０００６】
本願発明は、上記課題に鑑み、周囲に迷惑をかけずに読取り用の照明を行うバーコード読取装置を提供することを目的とする。
【課題を解決するための手段】
【０００７】
上記目的を達成するために、バーコード読取装置は、バーコードを検出するバーコード検出部と、バーコード検出時にバーコードを照明する紫外光ＬＥＤ及び可視光ＬＥＤと、前記紫外光ＬＥＤと可視光ＬＥＤのいずれで照明するかを制御する制御部とを備える。
【発明の効果】
【０００８】
本発明によれば、周囲に迷惑をかけずに読取り用の照明を行うバーコード読取装置を提供することができる。
【図面の簡単な説明】
【０００９】
【図１】バーコード読取装置を備える携帯情報端末の外観図の例である。
【図２】バーコード読取機能を主に示す携帯情報端末のブロック図である。
【図３】可視光ＬＥＤと紫外光ＬＥＤの配置例を示す図である。
【図４】バーコードの読取り処理の手順を示すメインのフローチャートである。
【図５】照明自動切換え処理１の手順を示すサブルーチンである。
【図６】照明自動切換え処理１の手順を異なる形式で表現したサブルーチンである。
【図７】照明自動切換え処理２の手順を示すサブルーチンである。
【図８】照明自動切換え処理３の手順を示すサブルーチンである。
【図９】バーコードの読取り処理の変形例を示すフローチャートである。
【発明を実施するための形態】
【００１０】
以下、図面に従って本発明の実施形態を説明する。図１は、本実施形態に係るバーコード読取装置を備える携帯情報端末１の外観図の例である。携帯情報端末１は、バーコード読取機能、ＩＣカード読取機能や撮影機能を有し、バーコードやＩＣカードから読取ったデータを保存あるいはパソコンに転送する機能を備えることで、発注業務や物品の管理あるいは医療現場での投薬管理や患者認証をはじめとする各種業務に利用される。
【００１１】
携帯情報端末１は、図１に示すように手で把持しやすいようにやや縦長の外観形状で構成される。携帯情報端末１の正面の下部には情報入力用のテンキーやファンクションキーを含むキーボード２０ａが設けられ、正面の上部には検出されたデータや入力指示あるいは操作メニュ等々を表示するための表示部１８が設けられる。
【００１２】
携帯情報端末１の向かって右側面には、バーコードの読取開始を指示するためのトリガーキー２０ｂが設けられる。また、携帯情報端末１の上面には、バーコードの読取窓４０が設けられる。Ｐ矢視は、図３で示す読取窓４０内部の配置図の方向を示すものである。また、Ｑは、後述する傾き検出部２６によって検出される携帯情報端末１の傾き方向を示す。
【００１３】
図２は、携帯情報端末１のブロック図で、バーコード読取機能を主に示すブロック図である。携帯情報端末１は、バーコード読取部２、ＩＣカード読取部４及びカメラ部６を有する。
【００１４】
バーコード読取部２は、バーコード（例えば、２次元バーコード）を読取るバーコード読取装置であって、バーコードを読取り、読取ったバーコードをデータに変換し、変換されたデータを表示したり保存したりする。ＩＣカード読取部４は、携帯情報端末１に接触されたＩＣカードと通信を行い、ＩＣカードから読取ったデータの表示や保存をするものである。また、カメラ部６は、画像を撮影して画像データに変換し圧縮等をして保存する。
【００１５】
バーコード読取部２は、制御部１０、メモリ部１２、バーコード検出部１４、デコード部１６、表示部１８、入力部２０、照明部２２、照度検出部２４、傾き検出部２６及びタイマ２８を有する。
【００１６】
制御部１０は、バーコード読取部２を統括的に制御するものである。携帯情報端末１には携帯情報端末１全体を統括的に制御するＣＰＵ（不図示）が搭載され、このＣＰＵによってプログラムに従って実行される携帯情報端末１の各機能の中でバーコード読取に関する機能を、制御部１０として表す。メモリ部１２は、プログラムや読取ったバーコードのデータを格納する不揮発性の記憶部である。
【００１７】
バーコード検出部１４は、バーコードを検出するためのもので、検出手段として撮像部を有する。撮像部は、レンズ部、ＣＭＯＳ撮像素子（ＣＣＤでも可）、ＣＭＯＳ駆動回路、２値化回路部等を有する。デコード部１６は、バーコード検出部１４で画像データとして検出されたバーコードをデコードして元のデータに変換するものである。
【００１８】
表示部１８は、読取られて変換されたバーコードのデータや携帯情報端末１に入力された指示あるいは操作メニュ等々を表示する。表示部１８は、バーコード読取り以外でも利用されるが、以下では、バーコード読取部２に含まれるとする。入力部２０は、操作者の指示を入力するもので、キーボード２０ａ及びトリガーキー２０ｂを有し、キーボード２０ａ及びトリガーキー２０ｂへの操作内容を制御部１０に通知する。トリガーキー２０ｂは、バーコードの読取りを指示するキーである。
【００１９】
照明部２２は、暗い環境下でバーコードを読取る場合に、バーコードを照明する発光部である。照明部２２には可視光ＬＥＤ２２ａと紫外光ＬＥＤ２２ｂが接続され、照明部２２は、可視光ＬＥＤ２２ａと紫外光ＬＥＤ２２ｂを駆動する駆動部（不図示）を有する。照明部２２は、トリガーキー２０ｂからの通知を受けた制御部１０から照明開始指示を受けて、可視光ＬＥＤ２２ａと紫外光ＬＥＤ２２ｂのいずれかを発光させ、制御部１０からの停止指示により発光を終了する。
【００２０】
可視光ＬＥＤ２２ａは、例えば赤や緑で、目視で視認できる色を発光するＬＥＤである。紫外光ＬＥＤ２２ｂは、主に紫外線領域の光を発光するＬＥＤであるが、一部可視光を伴っていてもよい。また、紫外光ＬＥＤ２２ｂの波長は、撮像部のＣＭＯＳ撮像素子の撮影波長帯域に含まれるものとする。
【００２１】
照度検出部２４には、周囲環境の明るさを検出するもので、照度センサ２４ａと検出部（不図示）が接続される。なお、照度センサ２４ａは、専用のセンサではなく、バーコード検出部１４の撮像部が照度センサを兼用するようにしてもよい。照度検出部２４は、制御部１０からの指示により、照度センサの出力から照度を検出し、検出した照度を制御部１０に通知する。
【００２２】
傾き検出部２６は、携帯情報端末１の傾き（姿勢）を検出するもので、加速度センサ２６ａが接続される。加速度センサ２６ａは、例えば図１のＱ方向の傾きを検出するように携帯情報端末１内に配置される。傾き検出部２６は、制御部１０からの検出指示により、加速度センサ２６ａの出力から携帯情報端末１の傾き角度を検出して制御部１０に通知する。なお、傾き検出の方向は、Ｑ方向に限るものではなく他の方向であってもよい。タイマ２８は、現在時刻を制御部１０に通知する。
【００２３】
図３は、照明部２２の可視光ＬＥＤ２２ａと紫外光ＬＥＤ２２ｂの配置例を示す図である。図１のＰ矢視方向から見た読取窓４０の内部の図である。読取窓４０の内部には、バーコードの光学像を、内部の撮像部に取り込むための入射部１４ａが設けられる。撮像部の入射部１４ａの周囲には、可視光ＬＥＤ２２ａと紫外光ＬＥＤ２２ｂが配置される。配置パターンは色々あるが、代表的な配置パターンを３種示す。本実施形態では、いずれのパターンを使用してもよい。なお、以下では、可視光・紫外光いずれのＬＥＤも角型形状で示すが、これは一例であって円形や楕円形であってもよい。
【００２４】
図３（Ａ）では、撮像部の入射部１４ａが読取窓４０の中央に設けられ、入射部１４ａを挟んで、２つの可視光ＬＥＤ２２ａと２つの紫外光ＬＥＤ２２ｂがそれぞれ対角状で、かつ可視光ＬＥＤ２２ａと紫外光ＬＥＤ２２ｂとが９０度間隔になるように配置される。図３（Ａ）は、専用の照度センサ２４ａが設けられないタイプで、この例の場合には、前述したようにバーコード検出部１４の撮像部が照度センサを兼用する。
【００２５】
図３（Ｂ）は、専用の照度センサ２４ａが設けられるタイプである。専用の照度センサ２４ａが、可視光ＬＥＤ２２ａと紫外光ＬＥＤ２２ｂの間に配置される。図３（Ｃ）は、専用の照度センサ２４ａが設けられるタイプで、さらに可視光ＬＥＤ２２ａと紫外光ＬＥＤ２２ｂをペアにして、配置した例である。長辺同士を合わせるようにしてペアにされた可視光ＬＥＤ２２ａと紫外光ＬＥＤ２２ｂの４組が、撮像部の入射部１４ａの周囲に９０度等間隔で配置される。なお、図３（Ａ）〜図３（Ｃ）可視光ＬＥＤ２２ａと紫外光ＬＥＤ２２ｂの数は、この例に限定されず、最低１ヶずつであってもよい。
【００２６】
図４は、バーコード読取部２によるバーコードの読取り処理の手順、特に照明の選択の手順を示すメインのフローチャートである。以下の処理は、主にバーコード読取部２の制御部１０によって実行される。
【００２７】
操作者によって携帯情報端末１が読取対象となるバーコードリーダに向けられたとする。制御部１０は、トリガーキー２０ｂが操作者によって押下されたかを判断する（ステップＳ１０）。制御部１０は、トリガーキー２０ｂが操作者によって押下されるまで（ステップＳ１０ＮＯ）、ステップＳ１０をループする。
【００２８】
制御部１０は、トリガーキー２０ｂが操作者によって押下されたと判断すると（ステップＳ１０ＹＥＳ）、照度を取得する（ステップＳ１２）。制御部１０は、照度センサ２４ａの出力から照度検出部２４により、バーコード周囲の明るさを示す照度を取得する。
【００２９】
制御部１０は、照度が閾値以下であるかを判断する（ステップＳ１４）。閾値は、照明なしでバーコードを撮影するために必要な明るさである。閾値は、予め定められた値で、例えば３０ｌｘ（ルクス）である。制御部１０は、照度が閾値以下ではないと判断すると（ステップＳ１４ＮＯ）、読取り時の照明は不要と判断して、ステップＳ２６に進む。
【００３０】
制御部１０は、照度が閾値以下であると判断すると（ステップＳ１４ＹＥＳ）、読取り時の照明が必要とし、まず自動切換えが設定されているかを判断する（ステップＳ１６）。自動切換えとは、可視光ＬＥＤ２２ａと紫外光ＬＥＤ２２ｂのいずれで照明するかを予め設定した条件に応じて自動的に切換える処理で、事前にキーボード２０ａで自動切換えＯＮ／ＯＦＦを設定しておく。
【００３１】
制御部１０は、自動切換えが設定されていないと判断すると（ステップＳ１６ＮＯ）、操作者により可視光が選択されているかを判断する（ステップＳ１８）。ここで、制御部１０は、表示部１８に可視光／紫外光の選択を促すメッセージを表示するようにしてもよい。表示を見た操作者は、読取りを行う環境に応じて、キーボード２０ａで可視光／紫外光のいずれかを選択をすればよい。例えば、発光が周囲に迷惑をかける場所では、紫外光を選択することになる。
【００３２】
制御部１０は、可視光が選択されていると判断すると（ステップＳ１８ＹＥＳ）、照明部２２を制御して、可視光ＬＥＤ２２ａを発光させる可視光照明を行う（ステップＳ２０）。制御部１０は、可視光が選択されていないと判断すると（ステップＳ１８ＮＯ）、照明部２２を制御して、紫外光ＬＥＤ２２ｂを発光させる紫外光照明を行う（ステップＳ２２）。
【００３３】
制御部１０は、自動切換えが設定されていると判断すると（ステップＳ１６ＹＥＳ）、照明自動切換え処理を行う（ステップＳ２４）。照明自動切換え処理は、携帯情報端末１の使用状態に応じて照明の種類を自動的に選択するものである。照明自動切換え処理として、照明自動切換え処理１〜３の３つのモードを、以下順番に示す。制御部１０は、３つのモードを用意しておき、操作者に事前にいずれかのモードをキーボード２０ａで選択させるようにしてもよいし、３つのモードのうちいずれか１つのみを搭載するようにしてもよい。
【００３４】
図５は、照明自動切換え処理１の手順を示すサブルーチンである。照明自動切換え処理１は、読取り時の時刻に応じて切換え処理を行うものである。
【００３５】
制御部１０は、タイマ２８より現在時を取得する（ステップＳ３０）。制御部１０は、使用時間帯（現在時）が設定時間範囲内であるかを判断する（ステップＳ３２）。設定時間は、例えば２０：００〜４：５９の夜間の時間である。設定時間は、事前に設定される時間でキーボード２０ａにより変更が可能である。
【００３６】
制御部１０は、使用時間帯が設定時間範囲内であるかと判断すると（ステップＳ３２ＹＥＳ）、照明部２２を制御して紫外光照明を行う（ステップＳ３４）。制御部１０は、使用時間帯が設定時間範囲内でないと判断すると（ステップＳ３２ＮＯ）、照明部２２を制御して可視光照明を行う（ステップＳ３６）。
【００３７】
図４に戻る。ステップＳ１４，ステップＳ２０、ステップＳ２２及びステップＳ２４の処理後、制御部１０は、バーコード読取りを行う（ステップＳ２６）。バーコード検出部１４によりバーコードが検出され、検出されたバーコードの画像がデコード部１６によりデコードされてデータに変換され、メモリ部１２に保存される。データへの変換後、“読取りＯＫ”等が表示部１８に表示されて、読取り処理が完了する。また、読取り完了後に制御部１０は、照明部２２を制御して照明をオフする。
【００３８】
照明自動切換え処理１によれば、夜間の時間帯であれば、自動的に紫外光で照明が行われるので、夜間に可視光を発光させてはまずい場所でも、安心して使用することができる。例えば、就寝中の患者が周りにいるような病室内で、バーコードの読取りを行う際でも、周囲の患者に迷惑をかけずに読取りを実行することができる。夜間の時間帯でなければ、自動的に可視光で照明を行われる。
【００３９】
図６は、照明自動切換え処理１の手順を、図５とは異なる形式で表現したサブルーチンで、処理内容としては同等である。制御部１０は、タイマ２８より現在時を取得する（ステップＳ４０）。制御部１０は、使用時間帯（現在時）が設定時間範囲内であるかを判断する（ステップＳ４２）。制御部１０は、使用時間帯が設定時間範囲内であると判断すると（ステップＳ４２ＹＥＳ）、フラグ０を設定する（ステップＳ４４）。制御部１０は、使用時間帯が設定時間範囲内でないと判断すると（ステップＳ４２ＮＯ）、フラグ１を設定する（ステップＳ４６）。制御部１０は、スキャナトリガを発行する（ステップＳ４８）。
【００４０】
制御部１０は、フラグ０であるかを判断する（ステップＳ５０）。制御部１０は、フラグ０であると判断すると（ステップＳ５０ＹＥＳ）、紫外光照明を行う（ステップＳ５２）。制御部１０は、フラグ１であるかを判断すると（ステップＳ５０ＮＯ）、可視光照明を行う（ステップＳ５４）。ステップＳ５２、ステップＳ５４の後は、図４のステップＳ２６に進む。ステップＳ２６は説明済なので、説明は省略する。
【００４１】
図７は、照明自動切換え処理２の手順を示すサブルーチンである。照明自動切換え処理２は、操作時の携帯情報端末１の姿勢に応じて切換え処理を行うものである。姿勢としては、例えば、携帯情報端末１の図１のＱ方向で示した傾き角度である。制御部１０は、傾き検出部２６により、図１のＱ方向の携帯情報端末１の傾き角度を取得する（ステップＳ６０）。傾き検出部２６は取得した加速度センサ２６ａの値から傾き角度を検出し、制御部１０は、傾き検出部２６により携帯情報端末１の傾き角度を取得する。
【００４２】
制御部１０は、携帯情報端末１の傾きが設定角度以上であるかを判断する（ステップＳ６２）。設定角度は、例えば２０度で、キーボード２０ａによって変更可能である。制御部１０は、携帯情報端末１の傾きが設定角度以上であると判断する（ステップＳ６２ＹＥＳ）、照明部２２を制御して紫外光照明を行う（ステップＳ６４）。制御部１０は、携帯情報端末１の傾きが設定角度以上ではないと判断すると（ステップＳ６２ＮＯ）、照明部２２を制御して可視光照明を行う（ステップＳ６６）。ステップＳ６４、ステップＳ６６の後は、図４のステップＳ２６に進むが、ステップＳ２６は説明済なので、説明は省略する。
【００４３】
照明自動切換え処理２によれば、携帯情報端末１を一定角度以上傾けるだけで、自動的に紫外線照明に切換えることができるので、操作者は照明を切換えるためにキーボード２０ａのボタンを押下する面倒な操作から解放される。
【００４４】
なお、携帯情報端末１が一定角度以上傾けられた場合に、逆に可視光照明に切換えるようにしてもよい。また、トリガーキー２０ｂが押下された後の携帯情報端末１の傾き角度で、紫外光照明か可視光照明にするかを選択すると説明したが、トリガーキー２０ｂの押下前の携帯情報端末１の傾け操作で紫外光照明か可視光照明を選択できるようにしておいておいてもよい。つまり、携帯情報端末１が一定速度以上で傾けられた場合に紫外光照明と可視光照明をサイクリックに切換えるよう設定しておけば、すばやく傾けて紫外光照明に切換えてから、元の通常の姿勢に戻して、トリガーキー２０ｂを押下する操作で、読取りを実行することができる。
【００４５】
図８は、照明自動切換え処理３の手順を示すサブルーチンである。照明自動切換え処理３は、周囲環境の暗さに応じて切換え処理を行うものである。制御部１０は、照度が第２の閾値以上であるかを判断する（ステップＳ７０）。ここで、ステップＳ１４の閾値を例えば１００ｌｘ、ステップＳ７０の第２の閾値を３０ｌｘとする。
【００４６】
制御部１０は、照度が第２の閾値以上であるかと判断すると（ステップＳ７０ＹＥＳ）、照明部２２を制御して可視光照明を行う（ステップＳ７２）。制御部１０は、照度が第２の閾値以上ではないと判断すると（ステップＳ７０ＮＯ）、照明部２２を制御して紫外光照明を行う（ステップＳ７４）。ステップＳ７２、ステップＳ７４の後は、図４のステップＳ２６に進むが、ステップＳ２６以降は説明済なので、説明は省略する。
【００４７】
このように、うす暗い程度で発光が周囲に迷惑をかけるおそれの少ない環境では、可視光照明を行い、相当に暗い環境、例えば周囲が就寝しているような環境では、紫外光照明を行うので、照明が周囲に迷惑をかけることを防止できる。
【００４８】
図９は、図４で示したバーコードの読取り処理の変形例を示すフローチャートである。この変形例は、読取りの際には常に照明を用いる場合の例である。
【００４９】
制御部１０は、トリガーキー２０ｂの押下を判断する（ステップＳ８０）。制御部１０は、トリガーキー２０ｂが押下されるまで（ステップＳ８０ＮＯ）、ステップＳ８０をループする。制御部１０は、トリガーキー２０ｂが押下されたと判断すると（ステップＳ８０ＹＥＳ）、タイマ２８より現在時を取得する（ステップＳ８２）。
【００５０】
制御部１０は、使用時間帯（現在時）が設定時間範囲内であるかを判断する（ステップＳ８４）。設定時間は、例えば２０：００〜４：５９の、夜間の時間帯である。制御部１０は、使用時間帯が設定時間範囲内であると判断すると（ステップＳ８４ＹＥＳ）、照明部２２を制御して紫外光照明を行う（ステップＳ８６）。制御部１０は、使用時間帯が設定時間範囲内でないと判断すると（ステップＳ８４ＮＯ）、照明部２２を制御して可視光照明を行う（ステップＳ８８）。制御部１０は、バーコード読取りを行う（ステップＳ９０）。バーコード読取りは、ステップＳ２６と同様であるので、説明は省略する。なお、ステップＳ８２を“傾き角度取得”に、ステップＳ８４を“端末の傾きが設定角度以上か”にそれぞれ置き換えて、上述の照明自動切換え処理２（図６）で説明した、携帯情報端末１の操作姿勢に応じて、照明の種類を切換るようにしてもよい。
【００５１】
以上説明した実施形態により、少なくとも以下に列記する効果が奏せられる。
・照明用に可視光と紫外光の発光部を備えたので、発光が周囲に迷惑を及ぼす場所(深夜の病室や映画館内等)でも、紫外光を照明として用いることで、周囲に迷惑を及ぼさずにバーコードの読取りを行うことができる。
・可視光と紫外光の選択が時間に応じて行われるようにしたので、夜間の読取りの際には、自動的に紫外光が選択されるので、周囲に迷惑をかけることがない。
・可視光と紫外光の選択が携帯情報端末の姿勢に応じて自動的に行われるようにしたので、操作者は照明の選択操作が簡単にできる。
【００５２】
なお、上記実施形態では、照明の点灯後に読取りを開始するよう説明したが、読取り処理開始後に照明を点灯するようにしてもよい。また、“トリガーキー押下”と“照度の取得”と“現在時の取得”の関係についても、いずれか先であってもよい。また、使用時間帯と設定角度を組み合わせて、つまり、２０：００〜４：５９の時間範囲でかつ２０度以上傾いた場合に、紫外光照明の選択を行うようにしてもよい。
【００５３】
また、紫外光照明で読取りエラーが発生した場合に、自動的に可視光照明に切換えてリトライするような制御をしてもよい。なお、制御部１０をＣＰＵによるソフトウェア処理として説明したが、一部あるいは全てをハードウェアで実現するようにしても良い。
【００５４】
なお、本発明は上述した実施形態そのままに限定されるものではく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【００５５】
１      携帯情報端末
２      バーコード読取部
４      ＩＣカード読取部
６      カメラ部
１０    制御部
１２    メモリ部
１４    バーコード検出部
１６    デコード部
１８    表示部
２０    入力部
２０ａ  キーボード
２０ｂ  トリガーキー
２２    照明部
２２ａ  可視光ＬＥＤ
２２ｂ  紫外光ＬＥＤ
２４    照度検出部
２４ａ  照度センサ
２６    傾き検出部
２６ａ  加速度センサ
２８    タイマ
【図１】
2015138474.tif 000003
【図２】
2015138474.tif 000004
【図４】
2015138474.tif 000005
【図５】
2015138474.tif 000006
【図６】
2015138474.tif 000007
【図７】
2015138474.tif 000008
【図８】
2015138474.tif 000009
【図９】
2015138474.tif 000010
【図３】
2015138474.tif 000011